(57)【要約】  画面ロック解除方法、装置及び端末であって、該方法は、第一端末が第一端末をロック解除するためのキー情報を取得するためのメッセージを第二端末に送信すること、第一端末が第二端末からのキー情報に基づいて第一端末に対して画面ロック解除を行うことを含む。発明の実施例により、ユーザがパスワードを忘れて画面をロック解除できず、さらにバージョンアップして画面をロック解除する必要があるため、時間の無駄、更にバージョンアップによる端末における重要な資料の紛失の問題を解決し、ユーザがスタンバイキー情報に基づいて端末をロック解除することができ、端末ロック解除コードを忘れて端末ロック解除を行うことができない状況を避け、さらに端末の使いやすさを向上させる。【選択図】図１
2016500170.tif 000002
【特許請求の範囲】
【請求項１】
第一端末が、前記第一端末をロック解除するためのキー情報を取得するためのメッセージを第二端末に送信することと、
前記第一端末が第二端末からのキー情報に基づいて前記第一端末に対して画面ロック解除を行うこととを含む画面ロック解除方法。
【請求項２】
前記第一端末が、キー情報を取得するためのメッセージを第二端末に送信することは、
前記第一端末が現在のロック解除回数がプリセットのロック解除回数に達したかどうかを判断することと、
達した場合、前記キー情報を取得するためのメッセージを前記第二端末に送信することとを含む、請求項１に記載の画面ロック解除方法。
【請求項３】
前記第一端末が、第二端末からのキー情報に基づいて前記第一端末に対して画面ロック解除を行うことは、
前記第一端末が、前記第二端末からの前記キー情報と前記第一端末に記憶されているキー情報とがマッチングするかどうかを判断することと、
マッチングすると、前記第一端末の画面をロック解除することとを含む、請求項１に記載の画面ロック解除方法。
【請求項４】
前記第一端末の画面ロック解除が成功した後、
前記第一端末のロック解除パスワードがパスワード無し状態にリセットされることを更に含む請求項３に記載の画面ロック解除方法。
【請求項５】
前記キー情報を取得するためのメッセージを暗号化し、且つ前記第二端末に送信することと、
前記第二端末からのキー情報を復号化し、その後複号化されたキー情報と前記第一端末に記憶されているキー情報とがマッチングするかどうかを判断し、マッチングすると、前記第一端末の画面をロック解除することとを更に含む請求項１に記載の画面ロック解除方法。
【請求項６】
第二端末が、第一端末からの、キー情報を取得するためのメッセージを受信した後、ユーザに認証コードの入力を提示することと、
前記第二端末が、ユーザが入力した、キー情報を取得するための認証コードを受信し、前記認証コードと前記第二端末にプリセットされた認証コードとがマッチングするかどうかを判断することと、
マッチングすると、前記第一端末に前記第一端末をロック解除するための前記キー情報を送信することとを含む画面ロック解除方法。
【請求項７】
前記第二端末が前記第一端末に前記キー情報を送信することは、
前記第二端末が前記キー情報を取得するためのメッセージに基づいて、予め前記第二端末に記憶されている前記キー情報を取り出し、且つ前記キー情報を前記第一端末に送信することを含む請求項６に記載の画面ロック解除方法。
【請求項８】
第一端末に位置する画面ロック解除装置であって、
前記第一端末をロック解除するためのキー情報を取得するためのメッセージを第二端末に送信するように設定される送信モジュールと、
第二端末からのキー情報に基づいて前記第一端末に対して画面ロック解除を行うように設定されるロック解除モジュールとを備える画面ロック解除装置。
【請求項９】
前記送信モジュールは、
現在のロック解除回数がプリセットのロック解除回数に達したかどうかを判断するように設定される第一判断ユニットと、
現在のロック解除回数がプリセットのロック解除回数に達した場合、前記キー情報を取得するためのメッセージを前記第二端末に送信するように設定される送信ユニットとを備える請求項８に記載の装置。
【請求項１０】
前記ロック解除モジュールは、
前記第二端末からの前記キー情報と前記第一端末に記憶されているキー情報とがマッチングするかどうかを判断するように設定される第二判断ユニットと、
マッチングする場合、前記第一端末の画面をロック解除するように設定されるロック解除ユニットとを備える請求項８に記載の装置。
【請求項１１】
請求項８〜１０のいずれかの一つに記載の画面ロック解除装置を備える端末。
【請求項１２】
第一端末からのキー情報を取得するためのメッセージを取得すると、ユーザに認証コードの入力を提示するように設定される受信モジュールと、
ユーザが入力したキー情報を取得するための認証コードを受信し、前記認証コードと前記第二端末にプリセットされた認証コードとがマッチングするかどうかを判断し、且つ判断結果を送信モジュールに送信するように設定される認証モジュールと、
判断結果がマッチングすると、前記第一端末に、前記第一端末をロック解除するための前記キー情報を送信するように設定される送信モジュールとを備える端末。
【請求項１３】
前記端末は、
前記第一端末の前記キー情報を予め記憶するように設定される記憶モジュールを更に備え、
前記送信モジュールは、前記第一端末に前記キー情報を送信するように設定され、
前記送信モジュールが前記キー情報を取得するためのメッセージに基づいて、前記記憶モジュールに予め記憶されている前記キー情報を取り出し、且つ前記キー情報を前記第一端末に送信することを含む請求項１２に記載の端末。
【発明の詳細な説明】
【技術分野】
【０００１】
本発明は通信分野に関し、具体的には、画面ロック解除方法、装置及び端末に関する。
【背景技術】
【０００２】
従来、各種の端末は人々の生活にますます重要な役割を果たしており、インテリジェントマシンの普及に伴って、インテリジェント端末、移動端末は人々の日常生活にますます重要な役割を果たしている。インテリジェント端末の安全上の問題もはっきりと現れ、現在のインテリジェント端末はいずれも自体の個性化に合致する画面ロック機能、たとえばパターンロック解除、ＰＩＮロック解除、パスワードロック解除等を選択して設定して端末のプライバシーセキュリティを確保し、通常、従来これらのロック解除方式を設定したが、自分が設定したロック解除パターン又はロック解除パスワードを忘れると、相応なアフターサービスステーションに行ってバージョンアップをして回復する必要があり、時間の無駄、更にバージョンアップによる端末における重要なデータの紛失をもたらす。
【発明の概要】
【発明が解決しようとする課題】
【０００３】
本発明の実施例は画面ロック解除方法、装置及び端末を提供しており、関連技術において、ユーザがパスワードを忘れて画面をロック解除できず、さらにバージョンアップして画面をロック解除する必要があるが、該方法が時間の無駄、更にバージョンアップによる端末における重要な資料の紛失をもたらす問題を少なくとも解決する。
【課題を解決するための手段】
【０００４】
実施例の本発明の一側面は、画面ロック解除方法を提供しており、第一端末が前記第一端末をロック解除するためのキー情報を取得するためのメッセージを第二端末に送信すること、前記第一端末が第二端末からのキー情報に基づいて前記第一端末に対して画面ロック解除を行うことを含む。
【０００５】
好ましくは、第一端末がキー情報を取得するためのメッセージを第二端末に送信することは、前記第一端末が現在のロック解除回数がプリセットのロック解除回数に達したかどうかを判断し、そうであると、前記のキー情報を取得するためのメッセージを前記第二端末に送信することを含む。
【０００６】
好ましくは、前記第一端末が第二端末からのキー情報に基づいて前記第一端末に対して画面ロック解除を行うことは、前記第一端末は前記第二端末からの前記キー情報が前記第一端末に記憶されているキー情報とマッチングするかどうかを判断し、そうであると、前記第一端末の画面をロック解除することを含む。
【０００７】
好ましくは、前記第一端末の画面ロック解除が成功した後、前記第一端末のロック解除パスワードがパスワード無し状態にリセットされることを更に含む。
【０００８】
好ましくは、前記方法は、前記のキー情報を取得するためのメッセージを暗号化し、且つ前記第二端末に送信すること、前記第二端末からのキー情報を復号化し、且つ前記第一端末に送信し、前記第一端末は復号化されたキー情報が前記第一端末に記憶されているキー情報とマッチングするかどうかを判断し、そうであると、前記第一端末の画面をロック解除することを更に含む。
【０００９】
実施例の本発明の一側面は、画面ロック解除方法を提供しており、
第二端末が第一端末からのキー情報を取得するためのメッセージを受信した後、ユーザに認証コードの入力を提示すること、
前記第二端末はユーザが入力したキー情報を取得するための認証コードを受信し、前記認証コードが前記第二端末にプリセットされた認証コードとマッチングするかどうかを判断すること、
そうであると、前記第一端末に前記第一端末をロック解除するための前記キー情報を送信することを含む。
【００１０】
好ましくは、前記第二端末が前記第一端末に前記キー情報を送信することは、
前記第二端末が前記のキー情報を取得するためのメッセージに基づいて、予め前記第二端末に記憶されている前記キー情報を取り出し、且つ前記キー情報を前記第一端末に送信することを含む。
【００１１】
本発明の実施例による他の一側面は、第一端末に位置する画面ロック解除装置を提供しており、前記第一端末をロック解除するためのキー情報を取得するためのメッセージを第二端末に送信するように設定される送信モジュール、第二端末からのキー情報に基づいて前記第一端末に対して画面ロック解除を行うように設定されるロック解除モジュールを備える。
【００１２】
好ましくは、前記送信モジュールは、現在のロック解除回数がプリセットのロック解除回数に達したかどうかを判断するように設定される第一判断ユニット、現在のロック解除回数がプリセットのロック解除回数に達した場合、前記のキー情報を取得するためのメッセージを前記第二端末に送信するように設定される送信ユニットを備える。
【００１３】
好ましくは、前記ロック解除モジュールは、前記第二端末からの前記キー情報と前記第一端末に記憶されているキー情報とがマッチングするかどうかを判断するように設定される第二判断ユニット、マッチングする場合、前記第一端末の画面をロック解除するように設定されるロック解除ユニットを備える。
【００１４】
本発明の実施例による他の一側面は、端末を提供しており、前記のいずれかの前記画面ロック解除装置を備える。
【００１５】
本発明の実施例による他の一側面は、端末を提供しており、
第一端末からのキー情報を取得するためのメッセージを受信した後、ユーザに認証コードの入力を提示するように設定される第一受信モジュール、
ユーザが入力したキー情報を取得するための認証コードを受信し、前記認証コードが前記第二端末にプリセットされた認証コードとマッチングするかどうかを判断し、且つ判断結果を送信モジュールに送信するように設定される認証モジュール、
判断結果がマッチングすると、前記第一端末に前記第一端末をロック解除するための前記キー情報を送信するように設定される送信モジュールを備える。
【００１６】
好ましくは、前記端末は、
予め前記第一端末の前記キー情報を記憶するように設定される記憶モジュールを更に備え、
前記送信モジュールは、前記第一端末に前記キー情報を送信するように設定され、  
前記送信モジュールは、前記のキー情報を取得するためのメッセージに基づいて、予め前記記憶モジュールに記憶されている前記キー情報を取り出し、且つ前記キー情報を前記第一端末に送信することを含む。
【発明の効果】
【００１７】
本発明の実施例は、第二端末から第一端末画面をロック解除可能なキー情報を取得し、該キー情報により第一端末に対して画面ロック解除を行うという方法を用いる。本発明の実施例によれば、ユーザがパスワードを忘れて画面をロック解除できず、さらにバージョンアップして画面をロック解除する必要があるが、該方法が時間の無駄、更にバージョンアップによる端末における重要な資料の紛失をもたらす問題を解決し、ユーザがスタンバイキー情報に基づいて端末をロック解除することができ、端末ロック解除コードを忘れて端末ロック解除を行うことができない状況を避け、さらに端末の使いやすさを向上させる。
【００１８】
ここでは説明する図面は本発明を更に理解するためのものであり、本願の一部分を構成し、本発明の模式的な実施例及びその説明は本発明を解釈するためのものであり、本発明を妥当でなく限定するものではない。
【図面の簡単な説明】
【００１９】
【図１】図１は本発明の実施例による画面ロック解除方法のフローチャートである。
【図２】図２は本発明の好適な実施例一による初期化設定インタフェースの模式図一である。
【図３】図３は本発明の好適な実施例一による初期化設定インタフェースの模式図二である。
【図４】図４は本発明の好適な実施例一による初期化設定インタフェースの模式図三である。
【図５】図５は本発明の好適な実施例一による画面ロック解除方法のフローチャートである。
【図６】図６は本発明の実施例による画面ロック解除装置の構造ブロック図である。
【図７】図７は本発明の実施例による画面ロック解除装置の送信モジュールの構造ブロック図である。
【図８】図８は本発明の実施例による画面ロック解除装置のロック解除モジュールの構造ブロック図である。
【図９】図９は本発明の実施例による第二端末の構造ブロック図である。
【図１０】図１０は本発明の好適な実施例二によるシステムの構造模式図である。
【発明を実施するための形態】
【００２０】
以下、図面及び実施例を参照しながら本発明を詳細に説明する。なお、衝突がない場合、本願における実施例及び実施例における特徴は互いに組み合せることができる。
【００２１】
従来のロック解除手段に基づいて、ユーザがパスワード又はロック解除パターンを忘れると、いろんな不便がある。上記問題を解決するために、本実施例は画面ロック解除方法を提供しており、該過程のフローは図１に示され、
第一端末が第一端末をロック解除するためのキー情報を取得するためのメッセージを第二端末に送信するステップＳ１０２、
第一端末が第二端末からのキー情報に基づいて第一端末に対して画面ロック解除を行うステップＳ１０４を含む。
【００２２】
本実施例は、第二端末から第一端末画面をロック解除可能なキー情報を取得し、該キー情報により第一端末に対して画面ロック解除を行うという方法を用いる。本実施例によれば、ユーザがパスワードを忘れて画面をロック解除できず、さらにバージョンアップして画面をロック解除する必要があるが、該方法が時間の無駄、更にバージョンアップによる端末における重要な資料の紛失をもたらす問題を解決し、ユーザがスタンバイキー情報に基づいて端末をロック解除することができ、端末ロック解除コードを忘れて端末ロック解除を行うことができない状況を避け、さらに端末の使いやすさを向上させる。
【００２３】
ステップＳ１０２の実施過程において、第一端末がキー情報を取得するためのメッセージを第二端末に送信することは、第一端末は現在のロック解除回数がプリセットされたロック解除回数に達したかどうかを判断し、プリセットされたロック解除回数に達した又はプリセットされたロック解除回数を超えたとき、キー情報を取得するためのメッセージを第二端末に送信するという処理過程を含んでもよい。
【００２４】
ステップ１０２の後、さらに、
他人が悪意を持って第一端末情報を盗み取ることを防止し、更に第一端末のユーザ情報の安全性を保証するために、第二端末がキー情報を取得するためのメッセージを受信した後、第二端末はユーザが認証コードを入力するためのプロンプトボックスをポップアップし、ユーザはこの前約束した認証コードを入力することができるステップ２０２、
第二端末はユーザが入力したキー情報を取得するための認証コードを受信し、認証コードが第二端末にプリセットされた認証コードとマッチングするかどうかを判断し、認証コードがマッチングすると、ステップ２０６を実行し、さもないとキー情報の送信フローを終了させるステップ２０４、
認証コードが正確である場合、第二端末は前記第一端末に前記キー情報を送信するステップ２０６、を含む。
【００２５】
そのうち、第二端末は第一端末からのキー情報を取得するためのメッセージに基づいて、予め第二端末に記憶されているキー情報を取り出し、その後、キー情報を第一端末に送信する。
【００２６】
認証コードが誤りであると、キー情報送信フローを終了させる。もちろん、認証コードの入力回数を限定してもよく、たとえば、３回に限定すると、第３回の時、認証コードが依然として誤ると、該フローを終了させる。
【００２７】
ステップ１０４において、第一端末は、キー情報を受信した後、第二端末からのキー情報に基づいて第一端末に対して画面ロック解除を行い、該過程は、第一端末は第二端末からのキー情報が第一端末に記憶されているキー情報とマッチングするかどうかを判断し、マッチングすると、第一端末の画面に対してロック解除を行い、すなわち第一端末の画面ロック解除が成功し、さもないと、該ロック解除のフローが終わるという過程を含んでもよい。
【００２８】
第一端末の画面ロック解除が成功した後、第一端末のロック解除パスワードはパスワード無し状態にリセットし、ユーザは必要に応じて再び新たなパスワードを設定するか又は設定しないかを選択することができる。そのうち、パスワードの種類は複数種、たとえば、音声パスワード、デジタルパスワード、パターンパスワードであってもよい。
【００２９】
第一端末が第二端末にキー情報を取得するためのメッセージを送信する時、第一端末又はネットワークは該メッセージを暗号化してから、第二端末に送信することができ、同様に、キー情報を受信する時、第一端末又はネットワークは対応して復号化してから、マッチング等の過程を行うことができる。
【００３０】
上記方法によれば、ユーザがロック解除パスワードを忘れた後、依然としてその他の方法（スタンバイロック解除コードを送信する）によりロック解除することができ、それによりアフターサービスステーションに行ってバージョンを更新する時間を節約し、効率を向上させる。
【００３１】
好適な実施例一
本実施例は端末同士に画面ロック解除を行う方法を提供しており、すなわち、主にキー情報（すなわちセキュリティコード）を別の端末にプリセットすることにより、ネットワーク暗号化送信でロック解除及び初期設定回復を行う。本実施例の実施によれば、ユーザが携帯電話端末を使用する過程で画面ロック解除パターン又はパスワードを忘れて正常にロック解除できず、ユーザの操作にいろんな不利を与える問題を解決する。該方法の過程については、
端末は予めスタンバイセキュリティロック解除コードを設定した後、セキュリティロック解除の機能を具備する。端末は予め設定したロック解除パターンを忘れた後、ネットワークを介してその特徴コードを別の端末に送信することができる。別の端末はこの前予め設定したスタンバイセキュリティコードをネットワークによりさらにロックされている端末に転送する。ロックされている端末はネットワークにより転送して来たスタンバイロック解除コードを受信した後、マッチングしてから、ロック解除を発効し、画面を順調にロック解除することができ、同時にこの前のロック解除パターンをリセット操作し、すなわち現在の端末はパターン及びパスワードロック解除がないことをデフォルトしている。
【００３２】
本実施例の上記方法及び装置によれば、ユーザのカスタム要求に応じて定時にバックグランドアプリケーションプログラムを自動クリアーすることができ、移動端末の現在の使用しているメモリーを節約するとともに、バックグランドアプリケーションプログラムの長期運行によるシステム性能への大きな影響を避ける。
【００３３】
以下、図を参照しながらこの好適な実施例を更に説明する。
【００３４】
この好適な実施例に関わる端末は移動端末であり、該移動端末はパスワード又はイメージによる画面ロックの機能をサポートする。図２、図３及び図４はそれぞれ本実施例による初期化設定インタフェースの模式図である。
【００３５】
図２は端末に対してブートロック解除パスワードの設定を行う前、ユーザにブートスタンバイロック解除コードの設定が必要であるかどうかを提示し、ブートスタンバイロック解除コードは第二ブートロック解除コード又はセキュリティキーとも称される。ユーザは［はい］又は［いいえ］を選択することで関連する後続操作を行うことができる。
【００３６】
図３において、ユーザはロック解除が何回失敗した後スタンバイパスワードのアクティベーションを起動するかのプログラムを設定することができ、回数を設定する時、デフォルト値を５回に設定してもよく、３回に設定してもよく、ユーザの必要に応じて設定するが、回数を少なく設定するほうは効果がより良い。
【００３７】
図４はユーザがスタンバイロック解除コードを成功に設定した後、端末に成功にスタンバイパスワードをＸＸ端末に送信したという提示を有する。
【００３８】
図５は本実施例による方法フローチャートであり、ステップＳ５０２〜ステップＳ５２０を含む。
【００３９】
ステップＳ５０２：移動端末がスタンバイパスワード（ここでのスタンバイパスワードがキー情報の１種であってもよい）を設定したかどうかを判断する。すでにスタンバイパスワードを設定しているとき、ステップＳ５０４に移行し、スタンバイロック解除パスワードを設定していないとき、ステップＳ５２０に移行する。
【００４０】
ステップＳ５０４：更に移動端末ユーザがすでにロック解除パスワードを忘れたかどうかを判断し、初期設定されたロック解除パスワードを忘れたとき、ステップＳ５０６に移行し、初期パスワードを忘れていないとき、ステップＳ５２０を実行し、その後正常なパスワード又はパターンロック解除プログラムに入る。
【００４１】
ステップＳ５０６：移動端末がこの時スタンバイパスワードのアクティベーションの起動条件を満たすかどうかを判断する。そのうち、上記条件はロック解除回数がプリセット回数に達する又はプリセット回数を超えることであってもよい。一旦条件を満たすと、ステップＳ５０８を実行し、該トリガー条件を満たしていないと、ステップＳ５２０を実行する。そのうち、スタンバイパスワードのアクティベーションの起動条件は図２においてロック解除失敗回数を設定した後スタンバイパスワードを起動することと一致している。
【００４２】
ステップＳ５０８：スタンバイパスワードロック解除要求をネットワークサーバーに送信する。
【００４３】
そのうち、上記ネットワークサーバーは通信オペレータのネットワークサーバー、端末メーカーのネットワークサーバーであってもよく、第三者の会社から購買されたネットワークサーバーであってもよく、具体的に制限せず、具体的な機能を具備すればよい。もちろん、ここでのネットワークも一つの一般的なネットワーク、たとえば移動通信ネットワーク、又はブルートゥースで接続されたネットワーク等である。
【００４４】
ステップＳ５１０：ネットワークサーバーは自体の暗号化ユニットで暗号化した後、端末Ｂに送信してスタンバイパスワードをトリガーするためのリマインドを与える。該ステップの実施過程において、送信されたスタンバイパスワードロック解除要求を暗号化することにより、送信するデータの安全性を大幅に向上させることができる。
【００４５】
ステップＳ５１２：端末Ｂがネットワークサーバーのスタンバイパスワードトリガーのリマインドを受信した後、この前保存したスタンバイロック解除パスワード情報を記憶ユニットから取り出してネットワークサーバーにフィードバックする。
【００４６】
該ステップを実施する前、スタンバイパスワードロック解除要求を受信する時、端末Ｂに認証コード入力のプロンプトインタフェースをポップアップしてもよく、この認証コードの入力は更に端末Ａの画面ロック解除の安全性を強化し、誰かが悪意を持ってロック解除してユーザデータを盗み取ることの発生を防止する。ユーザが端末Ｂに正確な認証コードを入力した後、ステップＳ５１２を実行し、予め記憶されているロック解除パスワード情報を抽出する。
【００４７】
ステップＳ５１４：ネットワークサーバーはその後、復号化ユニットによりＢ端末がフィードバックしたスタンバイロック解除コードをＡ端末に伝達する。
【００４８】
ステップＳ５１６：端末Ａは、この時端末Ｂから転送して来たスタンバイロック解除パスワードがこの前プリセットされたスタンバイロック解除パスワードとマッチングするかどうかを判断する。マッチングが成功したとき、ステップＳ５１８を実行する。マッチングが失敗したとき、ステップＳ５２０を実行する。
【００４９】
ステップＳ５１８：端末Ａは順調にロック解除を行い、ＵＩ（Ｕｓｅｒ  Ｉｎｔｅｒｆａｃｅ）プロンプトを与える。
【００５０】
ステップＳ５２０：該フローが終わる。異なる操作に基づいて、フロー終了の原因は異なり、端末Ａ及びＢは異なる原因に基づいて各種プロンプトをポップアップすることができ、たとえば、ステップＳ５１６においてマッチングが成功していないと、端末Ａに「スタンバイロック解除コードのロック解除が失敗」を表示することができる。
【００５１】
本発明の実施例は画面ロック解除装置を更に提供しており、該装置は第一端末に位置してもよく、その構造ブロック図は図６に示され、第一端末をロック解除するように設定されるキー情報を取得するためのメッセージを第二端末に送信するように設定される送信モジュール１０、送信モジュール１０とカップリングし、第二端末からのキー情報に基づいて第一端末に対して画面ロック解除を行うように設定されるロック解除モジュール２０を備える。
【００５２】
図７は送信モジュール１０の構造ブロック図を示し、現在のロック解除回数がプリセットのロック解除回数に達したかどうかを判断するように設定される第一判断ユニット１０２、第一判断ユニット１０２とカップリングし、現在のロック解除回数がプリセットのロック解除回数に達した場合、キー情報を取得するためのメッセージを第二端末に送信するように設定される送信ユニット１０４を備える。
【００５３】
実施する時、ロック解除モジュール２０は、更に図８に示されたものでも良く、第二端末からのキー情報が第一端末に記憶されているキー情報とマッチングするかどうかを判断するように設定される第二判断ユニット２０２、第二判断ユニット２０２とカップリングし、マッチングする場合、第一端末の画面をロック解除するように設定されるロック解除ユニット２０４を備える。
【００５４】
好ましくは、本実施例は第二端末を更に提供しており、図９は第二端末の構造ブロック図を示し、第一端末からのキー情報を取得するためのメッセージを受信した後、ユーザに認証コードの入力を提示するように設定される受信モジュール３０１、ユーザが入力したキー情報を取得するための認証コードを受信し、認証コードが第二端末内部にプリセットされた認証コードとマッチングするかどうかを判断するように設定される認証モジュール３０２、認証コードが正確である場合、第一端末にキー情報のモジュールを送信するように設定される送信モジュール３０３を備える。
【００５５】
実施する時、第二端末は、予め前記第一端末の前記キー情報を記憶するように設定される記憶モジュール３０４を更に備え、
前記送信モジュール３０３は、第一端末からのキー情報を取得するためのメッセージに基づいて、予め記憶モジュール３０４に記憶されているキー情報を取り出し、該キー情報を第一端末に送信する。
【００５６】
以下、好適な実施例を参照しながら、上記装置及び端末を説明し、以下の好適な実施例において、端末はインテリジェント移動端末であり、そのうち各モジュールの命名は上記各モジュールと多少異なるが、同一機能を達成することができる。
【００５７】
好適な実施例二
本実施例は、移動端末を提供しており、スタンバイパスワードを提供してロック解除することをサポートすることができ、パスワードを忘れて営業所に行ってバージョンアップする必要があるため、データ及びファイルの紛失をもたらす問題を避ける。図１０は本実施例による移動端末Ａ、ネットワーク及び移動端末Ｂの構造ブロック図であり、端末Ａは、
移動端末がスタンバイロック解除コードの起動条件を満たした後、ロック解除要求をネットワークにより端末Ｂに送信するための第一送信ユニット、
第一送信ユニットに対応し、移動端末がスタンバイロック解除コードを受信し、且つ記憶ユニットに転移するための第一受信ユニット、
主にいくつかのトリガー条件の判定機能及び後にバックアップコードをロック解除する時の比較機能に用いられ、例えば、スタンバイロック解除機能を開いたかどうかを判断し、スタンバイロック解除機能の開き条件を満たすかどうか等を判断することに用いられる比較ユニット、
ユーザとユーザの間がＵＩインタフェースを介して操作し及び対応操作が生じた結果をフィードバックする視覚的表示モードを提供し、例えば、ユーザが該機能を開く前、行ったいくつかの初期化設定、及び該装置を使用し始めた後のいくつかのプロンプト情報が挙げられる出力ユニットを備える。
【００５８】
ネットワークのネットワークサーバーは、主にスタンバイロック解除コードに対して伝送過程で暗号化設定の操作を行って、伝送過程の安全性を向上させるための暗号化ユニット、
暗号化ユニットに対応し、主にロック解除コードに対して伝送過程で復号化設定の操作を行って、ロック解除時に利便性を与えるための復号化ユニット、を備える。
【００５９】
端末Ｂは、キー情報を取得するためのメッセージを受信するための第二受信ユニット、
移動端末に別途に記憶領域を開設してスタンバイロック解除パスワードを保存する記憶ユニット、
端末Ｂがキー情報をロック解除すべき端末Ａに送信するための第二送信ユニット、
スタンバイパスワードのアクティベーション条件を満たした後、身元を保護し、誰でもスタンバイロック解除コードでロック解除できることを防止する認証ユニットを備える。
【００６０】
本発明の実施例は、ユーザカスタマイズの方式を用い、ユーザが自由にスタンバイパスワードをスタンバイパスワードの起動条件とともに設定でき、極めて強い安全性を有すると同時に、ユーザがロック解除パスワードを忘れた場合、スタンバイパスワードを起動して端末をロック解除することができ、端末ロック解除コードを忘れて端末ロック解除を行うことができない状況を避け、更に移動端末の使いやすさ及びユーザエクスペリエンスを向上させる。
【００６１】
以上の説明から分かるように、本発明は以下の技術効果を達成した。
【００６２】
本実施例は、第二端末から第一端末画面をロック解除可能なキー情報を取得し、該キー情報により第一端末に対して画面ロック解除を行うという方法を用いる。本実施例によれば、ユーザがパスワードを忘れて画面をロック解除できず、さらにバージョンアップして画面をロック解除する必要があるが、該方法が時間の無駄、更にバージョンアップによる端末における重要な資料の紛失をもたらす問題を解決し、ユーザがスタンバイキー情報に基づいて端末をロック解除することができ、端末ロック解除コードを忘れて端末ロック解除を行うことができない状況を避け、さらに端末の使いやすさを向上させる。
【００６３】
明らかなように、当業者は、上記の本発明の各モジュール又は各ステップを汎用の計算装置で実現してもよく、それらは単一の計算装置に集中されてもよく、又は複数の計算装置からなるネットワークに分布されてもよいと理解すべきであり、選択的に、それらは計算装置が実行可能なプログラムコードで実現されてもよく、それにより、それらを記憶装置に記憶して計算装置で実行することができ、且ついくつの場合で、ここと異なる順次で、示した又は記述したステップを実行してもよく、又はそれらをそれぞれ各集積回路モジュールに製作し、又はそれらのうちの複数のモジュール又はステップを単一の集積回路モジュールに製作して実現してもよい。このように、本発明はいかなる特定形式のハードウェアとソフトウェアの組合せに限らない。
【００６４】
以上は本発明の好適な実施例に過ぎず、本発明を制限するものではなく、当業者にとって、本発明に対して各種の変更及び変形を行うことができる。本発明の趣旨及び原則内に行ったあらゆる変更、等価置換、改良等は、いずれも本発明の保護範囲の内に属すべきである。
【産業上の利用可能性】
【００６５】
本発明の実施例は、第二端末から第一端末画面をロック解除可能なキー情報を取得し、該キー情報により第一端末に対して画面ロック解除を行うという方法を用いる。本発明の実施例によれば、ユーザがパスワードを忘れて画面をロック解除できず、さらにバージョンアップして画面をロック解除する必要があるが、該方法が時間の無駄、更にバージョンアップによる端末における重要な資料の紛失をもたらす問題を解決し、ユーザがスタンバイキー情報に基づいて端末をロック解除することができ、端末ロック解除コードを忘れて端末ロック解除を行うことができない状況を避け、さらに端末の使いやすさを向上させる。
【図１】
2016500170.tif 000003
【図２】
2016500170.tif 000004
【図３】
2016500170.tif 000005
【図４】
2016500170.tif 000006
【図５】
2016500170.tif 000007
【図６】
2016500170.tif 000008
【図７】
2016500170.tif 000009
【図８】
2016500170.tif 000010
【図９】
2016500170.tif 000011
【図１０】
2016500170.tif 000012
【国際調査報告】
2016500170.tif 000013
2016500170.tif 000014
2016500170.tif 000015
2016500170.tif 000016
2016500170.tif 000017
2016500170.tif 000018